(57)【要約】【課題】紙情報と電子情報を含む情報の管理・検索の効率を飛躍的に向上させることができる記録・印刷システム、プログラム及び記録媒体を提供する。【解決手段】所望の記録対象をコンテンツデータとして記録し、且つコンテンツデータに対するキー情報の入力を受け付け、且つキー情報に対応する所定のパターン情報を生成し、且つパターン情報の生成のたびにパターン情報の印刷指示を行う携帯端末１と、少なくともパターン情報を紙などの媒体に印刷するモバイルプリンタ２とを備える。【選択図】      図１
2005004638.tif 000002
【特許請求の範囲】
【請求項１】
所望の記録対象をコンテンツデータとして記録し、且つ前記コンテンツデータに対するキー情報の入力を受け付け、且つ前記キー情報に対応する所定のパターン情報を生成し、且つ前記パターン情報の生成のたびに前記パターン情報の印刷指示を行う携帯型装置と、
少なくとも前記パターン情報を紙などの媒体に印刷する印刷装置と、
を備えたことを特徴とする記録・印刷システム。
【請求項２】
所望の記録対象をコンテンツデータとして記録し、且つ前記コンテンツデータに対するキー情報の入力を受け付けて記録し、且つ前記キー情報に対応する所定のパターン情報を生成し、且つ前記コンテンツデータの記録を終了すると同時に前記パターン情報の印刷指示を行う携帯型装置と、
少なくとも前記パターン情報を紙などの媒体に一括して印刷する印刷装置と、を備えたことを特徴とする記録・印刷システム。
【請求項３】
請求項１又は２に記載の記録・印刷システムにおいて、
前記印刷装置は、その一部又は全域に接着剤が塗布された紙などの媒体を印刷することを特徴とする記録・印刷システム。
【請求項４】
請求項１乃至３のいずれかに記載の記録・印刷システムにおいて、
前記印刷装置は、前記パターン情報に加えて、前記コンテンツデータを明示的に示す図形を印刷することを特徴とする記録・印刷システム。
【請求項５】
所望の記録対象をコンテンツデータとして記録するステップと、
前記コンテンツデータに対するキー情報を入力するステップと、
前記キー情報に対して所定のパターン情報を生成するステップと、
前記キー情報の入力操作のたびに少なくとも前記パターン情報を紙などの媒体に印刷するように指示するステップと、
を備えたことを特徴とするプログラム。
【請求項６】
所望の記録対象をコンテンツデータとして記録するステップと、
前記コンテンツデータに対するキー情報を入力するステップと、
前記キー情報に対して所定のパターン情報を生成するステップと、
前記コンテンツデータの記録が終了すると同時に少なくとも前記パターン情報を紙などの媒体に一括して印刷するように指示するステップと
を備えたことを特徴とするプログラム。
【請求項７】
請求項５又は６に記載のプログラムを記録したことを特徴とする記録媒体。
【発明の詳細な説明】
【０００１】
【発明の属する技術分野】
本発明は、オーディオデータやビデオデータなどのコンテンツデータの記録を行うことができる記録・印刷システム、プログラム及び記録媒体に関し、後にコンテンツデータを検索するためのキー情報を記号化して紙面に印刷することにより、一覧性・追記性の優れた紙媒体の生成及び紙情報と電子情報との関連付けを自由に行うことを可能にした記録・印刷システム、プログラム及び記録媒体に関するものである。
【０００２】
【従来の技術】
我々は、新聞、雑誌、書籍、メモ、郵便物等の紙情報や、テレビ局、ラジオ局、通信用衛星などからの電波又はインターネットなどの通信回線網又はＣＤやＤＶＤなどの記録媒体を通じた電子情報のインプット／アウトプットを通じて、必要な作業をこなしている。紙情報はどこでも使用できる、一覧性がよい、扱いやすいなどの長所があり、また電子情報は情報記述能力が高い、直感的に理解しやすいなどの長所がある。
逆に言うと、紙情報は記述できる情報の量・質が限定的なものになり、また電子情報はそれを取得・管理・再生するにはある程度のスキルを必要とするという問題点がある。すなわち、紙情報と電子情報の持つ長所・短所は相補的な関係にあるが、両者を関連付ける何らかの仕組みを用意することにより、各々の利点を融合させることが上記問題点に対する問題解決となりうる。
近年においては、電子通信技術の飛躍的な進歩に伴い、ユーザが講演会・会議などの場でオーディオデータやビデオデータなどを専用の装置に記録・保管するという使用例が見られるようになった。このような場において、ユーザ自らがこれらのデータとその場で使用された紙の資料とを関連付けたり、これらのデータにアクセスするための紙媒体を素早く生成できれば、飛躍的にデータ管理・検索の効率が向上することが期待される。
一方、関連付けの技術としては、特許文献１の情報取得方法並びにその装置及び印刷物がある。これは、予め個々の掲載内容を特定する索引コードを新聞、書籍等の印刷物の紙面上に併記しておき、該索引コードを端末装置の入力装置又は読取装置から入力し、通信網を介してサーバ装置に送信し、該索引コードに対応してサーバ装置から送られる電子情報をディスプレイ、スピーカ、プリンタにより再生することにより、新聞、書籍等の印刷物に掲載された内容に関連する電子情報を入手するようにしたものである。
【特許文献１】特開平８−２７２７２０号公報
【０００３】
【発明が解決しようとする課題】
しかしながら、特開平８−２７２７２０号公報において開示されている技術は、新聞社や出版社などのベンダにより提供された印刷物を対象としたものであり、入手した電子情報と紙情報をその場で関連付けたり、その電子情報にアクセスするための紙媒体を素早く生成するといったことはできない。
そこで、本発明は、上述の問題点を解決するためになされたもので、各々のユーザが持ち寄った携帯型の端末装置を用いて、講演会・会議などの場でユーザ自らが、ビデオやオーディオなどのコンテンツデータと配布された紙の資料の関連付けや、該コンテンツデータと関連付けたメモ用紙などの媒体の生成をその場で容易に行えるようにすることで情報の管理・検索の効率を飛躍的に向上させることができる記録・印刷システム、プログラム及び記録媒体を提供することを目的とする。
【０００４】
【課題を解決するための手段】
上述の問題点を解決するために、請求項１記載の発明では、所望の記録対象をコンテンツデータとして記録し、且つ前記コンテンツデータに対するキー情報の入力を受け付け、且つ前記キー情報に対応する所定のパターン情報を生成し、且つ前記パターン情報の生成のたびに前記パターン情報の印刷指示を行う携帯型装置と、少なくとも前記パターン情報を紙などの媒体に印刷する印刷装置とを備えた記録・印刷システムを最も主要な特徴とする。
請求項２記載の発明では、所望の記録対象をコンテンツデータとして記録し、且つ前記コンテンツデータに対するキー情報の入力を受け付けて記録し、且つ前記キー情報に対応する所定のパターン情報を生成し、且つ前記コンテンツデータの記録を終了すると同時に前記パターン情報の印刷指示を行う携帯型装置と、少なくとも前記パターン情報を紙などの媒体に一括して印刷する印刷装置とを備えた記録・印刷システムを主要な特徴とする。
請求項３記載の発明では、前記印刷装置は、その一部又は全域に接着剤が塗布された紙などの媒体を印刷する記録・印刷システムを主要な特徴とする。
請求項４記載の発明では、前記印刷装置は、前記パターン情報に加えて、前記コンテンツデータを明示的に示す図形を印刷する記録・印刷システムを主要な特徴とする。
請求項５記載の発明では、所望の記録対象をコンテンツデータとして記録するステップと、前記コンテンツデータに対するキー情報を入力するステップと、前記キー情報に対して所定のパターン情報を生成するステップと、前記キー情報の入力操作のたびに少なくとも前記パターン情報を紙などの媒体に印刷するように指示するステップとを備えたプログラムを主要な特徴とする。
請求項６記載の発明では、所望の記録対象をコンテンツデータとして記録するステップと、前記コンテンツデータに対するキー情報を入力するステップと、前記キー情報に対して所定のパターン情報を生成するステップと、前記コンテンツデータの記録が終了すると同時に少なくとも前記パターン情報を紙などの媒体に一括して印刷するように指示するステップとを備えたプログラムを主要な特徴とする。
請求項７記載の発明では、請求項５又は６に記載のプログラムを記録した記録媒体を主要な特徴とする。
【０００５】
【発明の実施の形態】
以下、図面により本発明に係る記録・印刷システム、プログラム及び記録媒体の実施の形態について説明する。図１は本発明の実施の形態としての記録・印刷システム１００の構成を示す図である。同図に示すように、記録・印刷システム１００は携帯型装置としての携帯端末１とこれに接続された印刷装置としてのモバイルプリンタ２、映像記録用のカメラ３及びバーコードを読み取るためのコードスキャナ４とで構成されている。なお、カメラ３とコードスキャナ４は必ずしも同時に携帯端末１に接続されている必要はなく、例えばシーン記録中はカメラのみが接続されていればよい。
携帯端末１は講演会場や会議室などにおいてビデオやオーディオなどのコンテンツデータの記録、このコンテンツデータに対するキー情報の入力受付け、このキー情報に対応する所定のパターン情報の生成及びパターン情報の生成のたびにそのパターン情報の印刷指示を行う。図２は携帯端末１の構成を示した図である。携帯端末１はＣＰＵ５、メモリ６、ＨＤＤ（Ｈａｒｄ  Ｄｉｓｋ  Ｄｒｉｖｅ）７、マイク８、クロック９、ＬＣＤ（液晶ディスプレイ）１０、タッチパネル１１、カードスロット１２及び赤外線ポート１３を備えている。
ＣＰＵ５はプログラム実行などの処理を行う中央演算処理装置である。メモリ６はＣＰＵ５に連携する記憶装置である。ＨＤＤ７にはコンテンツデータが記録される。ＬＣＤ１０はデータ表示に用いられ、タッチパネル１１は主にコンテンツデータに対するキー情報の入力に用いられる。カードスロット１２はＣＦ（Ｃｏｍｐａｃｔ  Ｆｌａｓｈ）カードなどを挿入するためのものであり、この例では、カメラ３及びコードスキャナ４を接続するのに使用している。例えば、東芝デジタルメディアエンジニアリング社のｉＶｉｅｗｅｒなどのＣＦカードスロット用カメラやＳｏｃｋｅｔ  Ｃｏｍｍｕｎｉｃａｔｉｏｎｓ社のＩＳ５００６−２４５などのＣＦカードスロット用コードスキャナカメラを使用できる。また、赤外線ポート１３はモバイルプリンタ２との接続に使用される。例えばブラザー工業社のＭＷ−１００などの赤外線通信対応モバイルプリンタを使用できる。
【０００６】
タッチパネル１１はユーザがペンで接触したことを検知し、ペンがパネルに触れた場合にはペンダウン信号、ペンがパネルに触れたまま移動した場合にはペンムーブ信号、ペンがパネルから離れた場合にはペンアップ信号、及びその位置（ｘｙ座標値）信号を出力する。なお、タッチパネル１１はＬＣＤ１０に表示されたボタンなどに対してユーザが操作できるように、ＬＣＤ１０の表示面に重ねて設置されている。
対象シーンの記録中は、携帯端末１上で、付属のペン又は指によるタップ動作を取得することにより、後の検索に利用するためのキー情報を入力する。また携帯端末１は、キー情報の入力を検知すると、キー情報をユーザが可視情報として認識できるパターン情報に変換し、そのパターン情報を紙媒体に印刷するようにモバイルプリンタ２に指示する。記録終了後には、携帯端末１に接続されたコードスキャナ４により、紙に印刷されたパターン情報が読み取られる。携帯端末１では、読み取られたパターン情報に埋め込まれたキー情報に従い、ＨＤＤ７に記録されたデータを検索し表示する。
したがって、記録・印刷システム１００では、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
【０００７】
ここで、本発明の実施の形態としてのプログラム１１０について説明する。このプログラムは後述する記録プログラム１２０、パターン情報印刷プログラム１３０及び動画表示プログラム１４０によって構成され、携帯端末１上で動作する。記録プログラム１２０はカメラ３（図１）及びマイク８（図２）により取得されたビデオデータ及びオーディオデータを記録すると共に、キー情報を取得する役割を果す。図３は記録プログラム１２０のフローチャートである。以下フローチャートの各ステップごとにプログラムの動作を説明する。
まず、ステップＳ１で図４に示す内容をディスプレイ画面に表示する。図４において画面上部には、現在カメラが撮影中の動画が表示される。また、画面中央部に「Ｓｔａｒｔ」ボタンと「Ｓｔｏｐ」ボタンが表示され、それぞれ記録の開始、記録の停止を意味する。また、画面下部には「Ｉｎｓｅｒｔ」ボタンがあり、例えばシーン記録中に、後に振り返りたいような場面を迎えた時に押される。次に、ステップＳ２に移り、マウスやキーボード等の操作により、「Ｓｔａｒｔ」ボタンが押下されたかどうかを調べる。押下されたらステップＳ３に進み、そうでなければ再びこのステップＳ２に戻る。
ステップＳ３ではカメラからのビデオデータやマイクからのオーディオデータの記録を開始する。これらのデータは、携帯端末のＨＤＤにファイルとして記録される。ここの例では、記録されるデータのファイルフォーマットは、ＭＰＥＧ−４（Ｍｏｖｉｎｇ  Ｐｉｃｔｕｒｅ  Ｅｘｐｅｒｔｓ  Ｇｒｏｕｐ  ｐｈａｓｅ  ４）とする。またファイル名は、例えば２００２年９月１３日１５時２５分１９秒から記録する場合、２００２−０９−１３−１５−２５−１９．ｍｐｇと名付けられる。そして、この後ステップＳ４へ進む。
【０００８】
ステップＳ４では、ユーザがペンを使ってボタンをタップする操作を待つ。そして、ステップＳ５においてペンが触れた位置が「Ｓｔｏｐ」ボタン上であるかどうかを確認し、「Ｓｔｏｐ」ボタン上でペンが触れていれば、ステップＳ６へ進み、その後データ記録を終了する。そうでなければ次のステップＳ７へ進む。ステップＳ７では、ペンが触れた位置が「Ｉｎｓｅｒｔ」ボタン上であるかないかを確認し、「Ｉｎｓｅｒｔ」ボタン上であれば、ステップＳ８に進む。そうでなければステップＳ４に戻る。
ステップＳ８では、後で検索に利用するためのキー情報を入力する。ここで、キー情報は、「Ｉｎｓｅｒｔ」ボタンが押された時刻とする。例えば、「Ｉｎｓｅｒｔ」ボタンが押された時刻が２００２年９月１３日１５時３５分２４秒である場合、該プログラムは２００２０９１３１５３５２４というキー情報を生成する。そして、ステップＳ９へ進んで、パターン情報印刷プログラム１３０に対し、前記キー情報を紙媒体に印刷するよう要求する。その後、ステップＳ４へ戻り、上記の通り処理を繰り返す。データの記録が終了して「Ｓｔｏｐ」ボタンが押されたときはカメラからのビデオデータ及びマイクからのオーディオデータ記録を停止し、前記ファイルを閉じて保存する。
【０００９】
次に、パターン情報印刷プログラム１３０について説明する。パターン情報印刷プログラム１３０は記録プログラム１２０により生成されたキー情報からパターン情報を生成し、該パターン情報を印刷するコマンドをモバイルプリンタ２に送信する役割を果たす。図５はパターン情報印刷プログラム１３０のフローチャートである。まず、ステップＳ１１において、記録プログラム１２０により生成されたキー情報から、可視のパターン情報を生成する。例えば、既に述べたようにキー情報が半角数字のみにより表現されている場合、公知技術であるバーコードで該キー情報を表現することができる。また、この動作はＡＩＮＩＸ社のＢａｒＳｔａｒ  Ｐｒｏ  ＤＴＫなどの市販のソフトウェア開発キットを用いることにより、実現することができる。
ステップＳ１１の後はステップＳ１２に移り、生成したパターン情報の印刷要求をモバイルプリンタに送信し、モバイルプリンタに印刷動作を実行させる。この動作は、既存の各種ＯＳ（Ｏｐｅｒａｔｉｎｇ  Ｓｙｓｔｅｍ）の機能を用いて容易に実現することができる。
ここで、ステップＳ１２において印刷される紙情報について図６を用いて説明する。図６（ａ）は、紙媒体をメモ形式で印刷する一例である。最上部に記録されたキー情報が文字情報として記されており、その下には該キー情報を示すパターン情報が印刷されている。さらに、その下には罫線が引かれており、ユーザはこの紙を用いて、キー情報を付したシーンに関して自由にメモをとることができる。その結果、対象シーンにおける重要な場面に関する手書きメモと、ビデオデータなどのコンテンツデータとを容易に関連付けることができる。
また、図６（ｂ）は紙媒体をシール付きのラベル（接着剤が塗布された紙）として印刷する一例である。図において、ラベルには前記キー情報を示すパターン情報のみが印刷されている。例えば、講演中に紙の資料が配布されている場合や、自らが用意したメモ帳に書き込みを行っている場合に、該ラベルをこれらの紙媒体に貼り付けることにより、紙情報とコンテンツデータとを容易に関連付けることができる。
また、図６（ｃ）は、紙媒体を付箋紙（接着剤が塗布された紙）として印刷する一例である。図において、ラベルには前記キー情報を示すパターン情報のみが印刷されている。また、図の斜線部の裏側には、繰り返し剥がせる接着剤が塗布されている。こちらも前記ラベルと同様に、該付箋紙を配布資料やメモ帳に貼り付けることにより、紙情報とビデオデータとを容易に関連付けることができる。
【００１０】
次に、動画表示プログラム１４０について説明する。動画表示プログラム１４０は上述のパターン情報印刷プログラム１３０により印刷された紙媒体上のパターン情報を読み取り、その結果読み取られたキー情報を基に、該当するビデオデータをＨＤＤ内で検索し、ＬＣＤに表示する役割を果たす。図７は動画表示プログラム１４０のフローチャートである。以下フローチャートの各ステップごとにプログラムの動作を説明する。該プログラムを起動すると、図８に示す内容がディスプレイ画面に表示され、前記パターン情報印刷プログラムによって印刷された紙媒体上のバーコードをコードスキャナで読み取るよう、ユーザに指示する（ステップＳ２１）。画面にはビデオ表示画面と「終了」ボタンが表示されている。この時点では表示するビデオデータが指定されていないので、ビデオ表示画面は黒く塗りつぶされている。
そして、ステップＳ２２へ進み、読み取ったキー情報、すなわち時刻情報を読み出し、その時刻に対応するビデオデータをＨＤＤにおいて検索し、得られたビデオデータを図８のビデオ表示画面に表示する。そして、ステップＳ２３において、ペンが触れた位置が「終了」ボタン上であるかどうかを確認し、「終了」ボタン上であればフロー動作を終了し、そうでなければステップＳ２２へ戻る。なお、本実施の形態では、記録された時刻のビデオデータを表示することを説明したが、ビデオのみ、オーディオのみ、アニメーションなどのその他の情報を表示・再生してもよい。
したがって、プログラム１１０では、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
【００１１】
次に、本発明の実施の形態としての記録・印刷システム２００について説明する。なお、記録・印刷システム２００のハードウェアの基本構成は記録・印刷システム１００の基本構成と同じであるので図示とその説明は省略する（図１、図２参照）。但し、記録・印刷システム２００の携帯端末１は講演会場や会議室などにおいてビデオやオーディオなどのコンテンツデータを記録し、このコンテンツデータに対するキー情報の入力を受付けて記録し、このキー情報に対応する所定のパターン情報を生成し、コンテンツデータの記録を終了すると同時にパターン情報の印刷指示を行うようになっている。また、モバイルプリンタ２は少なくともパターン情報を紙などの媒体に一括して印刷するようになっている。
記録・印刷システム２００においては、対象シーンの記録中、携帯端末１上で、付属のペン又は指によるタップ動作を取得することにより、後の検索に利用するためのキー情報をメモリ６（図２）に記録する。シーンの記録中に複数のキー情報が記録された場合には、キー情報をリスト化してメモリ６に記録する。記録終了後には、携帯端末１はメモリ６に記録されたキー情報のリストをまとめて印刷する。このとき、各々のキー情報は、ユーザが可視情報として認識できるパターン情報に変換され、紙媒体に印刷される。印刷後は、携帯端末に接続されたコードスキャナ４により、紙に印刷されたパターン情報が読み取られる。携帯端末１では、読み取られたパターン情報に埋め込まれたキー情報に従い、ＨＤＤ７に記録されたビデオデータを検索し表示する。
したがって、記録・印刷システム２００では、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
【００１２】
ここで、本発明の実施の形態としてのプログラム２１０について説明する。このプログラムは後述する記録プログラム２２０、パターン情報印刷プログラム２３０及び動画表示プログラム２４０によって構成され、携帯端末１上で動作する。なお、動画表示プログラム２４０は上述の動画表示プログラム１４０と同様なのでその説明は省略する。記録プログラム２２０はカメラ３及びマイク８により取得されたビデオデータ及びオーディオデータを記録すると共に、キー情報をメモリに記録する役割を果す。図９は記録プログラム２２０のフローチャートである。以下フローチャートの各ステップごとにプログラムの動作を説明する。
まず、ステップＳ３１で図４に示す内容をディスプレイ画面に表示する。画面レイアウト、各ボタンの機能とも、記録プログラム２２０と同様である。次に、ステップＳ３２に移り、マウスやキーボード等の操作により、「Ｓｔａｒｔ」ボタンが押下されたかどうかを調べる。押下されたらステップＳ３３に進み、そうでなければ再びこのステップＳ３２に戻る。
ステップＳ３３ではカメラからのビデオデータやマイクからのオーディオデータの記録を開始する。これらのデータは、携帯端末のＨＤＤにファイルとして記録される。ここの例では、記録されるデータのファイルフォーマットは、ＭＰＥＧ−４（Ｍｏｖｉｎｇ  Ｐｉｃｔｕｒｅ  Ｅｘｐｅｒｔｓ  Ｇｒｏｕｐ  ｐｈａｓｅ  ４）とする。またファイル名は、例えば２００２年９月１３日１５時２５分１９秒から記録する場合、２００２−０９−１３−１５−２５−１９．ｍｐｇと名付けられる。そして、この後ステップＳ３４へ進む。
ステップＳ３４では、ユーザがペンを使ってボタンをタップする操作を待つ。そして、ステップＳ３５においてペンが触れた位置が「Ｓｔｏｐ」ボタン上であるかどうかを確認し、「Ｓｔｏｐ」ボタン上でペンが触れていれば、ステップＳ３６へ進み、その後データ記録を終了する。そうでなければ次のステップＳ３７へ進む。ステップＳ３７では、ペンが触れた位置が「Ｉｎｓｅｒｔ」ボタン上であるかないかを確認し、「Ｉｎｓｅｒｔ」ボタン上であれば、ステップＳ３８に進む。そうでなければステップＳ３４に戻る。
ステップＳ３８では、後で検索に利用するためのキー情報を一旦メモリに記録する。ここで、キー情報は記録プログラム１２０と同様に「Ｉｎｓｅｒｔ」ボタンが押された時刻とする。その後ステップＳ３４に戻り、上記の通り処理を繰り返す。記録プログラム１２０とは異なり、キー情報記録後に印刷要求を出力しない。データの記録が終了して「Ｓｔｏｐ」ボタンが押されたときはカメラからのビデオデータ及びマイクからのオーディオデータ記録を停止し、前記ファイルを閉じて保存する。
【００１３】
次に、パターン情報印刷プログラム２３０について説明する。パターン情報印刷プログラム２３０は記録プログラム２２０によりメモリに記録されたキー情報のリストからパターン情報を生成し、該パターン情報を印刷するコマンドをモバイルプリンタ２に送信する役割を果たす。図１０はパターン情報印刷プログラム２３０のフローチャートである。まず、ステップＳ４１において、記録プログラム２２０の動作が終了したことを検知する。そして、ステップＳ４２へ進み、携帯端末１のメモリ６に記録されたキー情報のリストより、可視のパターン情報を生成する。その動作は、プログラム１１０で説明した通りである。さらに、ステップＳ４３へ進んで、生成したパターン情報の印刷要求をモバイルプリンタ２に送信し、モバイルプリンタ２に印刷動作を実行させる。この動作は、既存の各種ＯＳ（Ｏｐｅｒａｔｉｎｇ  Ｓｙｓｔｅｍ）の機能を用いて容易に実現することができる。
ここで、ステップＳ４３において印刷される紙情報について図１１を用いて説明する。図１１（ａ）は、あるユーザが記録したキー情報を一括して紙媒体に印刷する一例である。最上部に記録されたコンテンツデータのファイル名が文字情報として記されている。また、その下には該キー情報を示すバーコードと、それが指すビデオファイルの時刻情報が印刷されている。このように、検索のキーとなる時刻情報がビデオデータと関連付けられた状態で紙面上に一覧表示されるので、これを用いて効率的なコンテンツデータの検索が可能となる。
また、図１１（ｂ）は、時刻情報を印刷する代わりに、コンテンツデータを明示的に示す図形を印刷したものである。具体的には、その時刻のビデオデータのインデックス画像を印刷したものである。図のようにインデックス画像があれば、説明者の身振り、他の参加者の動き、及び説明者の筆記動作などの視覚的な変化が紙面上に一覧表示され、これを用いて一層効率的なコンテンツデータの検索が可能となる。
したがって、プログラム２１０では、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
【００１４】
次に、本発明の実施の形態としての記録媒体３００について説明する。これは、携帯端末にプログラム１１０又は２１０を格納した記録媒体を読み取らせることにより、その機能を実現させている。例えば、図１２に示すように、該プログラムを格納した記録媒体としての記録メディアを、携帯端末に装着し、適宜該プログラムを実行させることにより、その機能を実現させることができる。このように、記録媒体３００では、プログラム１１０又は２１０を記録媒体に格納しているので、プログラム１１０又は２１０の汎用性が拡大する。
なお、ここで説明した実施の形態は本発明の一実施例であって、本発明の構成を限定するものではない。例えば、この実施の形態において、携帯端末、カメラ、及びモバイルプリンタが接続されていると説明したが、これ以外の接続形態であっても構わない。例えば、カメラ付き携帯端末やプリンタ付き携帯端末を用いてもよい。また、パターン情報を読み取る前に動画表示プログラムを起動しておくと説明したが、これ以外の態様であっても構わない。例えば、パターン情報を読み取ると同時に動画表示プログラムが立ち上がり、要求したビデオデータを再生してもよい。
また、この実施の形態において、ビデオデータのフォーマットをＭＰＥＧ−４として説明したが、これ以外の態様であっても構わない。例えば、Ｍｉｃｒｏｓｏｆｔ社のＷｉｎｄｏｗｓ（登録商標）  Ｍｅｄｉａ  Ｖｉｄｅｏ形式や、ＲｅａｌＮｅｔｗｏｒｋｓ社のＲｅａｌ  Ｖｉｄｅｏ形式でもよい。また、実施の形態において、キー情報を「Ｉｎｓｅｒｔ」ボタンが押された時刻として説明したが、これ以外の形式であっても構わない。例えば、キー情報をビデオファイル名と記録開始からの相対時刻で表現し、前記動画表示プログラムが該キー情報を取得すると、該ビデオファイルが指定された相対時刻から再生されるというものであってもよい。
【００１５】
【発明の効果】
以上説明したように、請求項１、請求項２、請求項５及び請求項６によれば、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
請求項３によれば、例えば、講演中に紙の資料が配布されている場合や、自らが用意したメモ帳に書き込みを行っている場合に、接着剤が塗布された紙を用いて生成したラベルをこれらの紙媒体に貼り付けることにより、紙情報とコンテンツデータとを容易に関連付けることができる。
請求項４によれば、コンテンツデータを明示的に示す図形が印刷されるので、例えば、説明者の身振り、他の参加者の動き、及び説明者の筆記動作などの視覚的な変化が紙面上に表示され、これを用いて一層効率的なコンテンツデータの検索が可能となる。
請求項７によれば、紙情報と電子情報を関連付けるプログラムを記録媒体に格納したので、汎用性が拡大する。
【図面の簡単な説明】
【図１】記録・印刷システム１００の構成を示す図である。
【図２】携帯端末１の構成を示す図である。
【図３】記録プログラム１２０のフローチャートである。
【図４】記録プログラム１２０の表示画面を示す図である
【図５】パターン情報印刷プログラム１３０のフローチャートである。
【図６】パターン情報印刷プログラム１３０で印刷される紙情報の例を示す図である。
【図７】動画表示プログラム１４０のフローチャートである。
【図８】動画表示プログラム１４０の表示画面を示す図である。
【図９】記録プログラム２２０のフローチャートである。
【図１０】パターン情報印刷プログラム２３０のフローチャートである。
【図１１】パターン情報印刷プログラム２３０で印刷される紙情報の例を示す図である。
【図１２】プログラム１１０又は２１０を格納した記録メディアの外観図である。
【符号の説明】
１  携帯端末、２  モバイルプリンタ、３  カメラ、４  コードスキャナ、５ＣＰＵ、６  メモリ、７  ＨＤＤ、８  マイク、９  クロック、１０  ＬＣＤ、１１  タッチパネル、１２  カードスロット、１３  赤外線ポート、１００、２００  記録・印刷システム
【図１】
2005004638.tif 000003
【図２】
2005004638.tif 000004
【図３】
2005004638.tif 000005
【図４】
2005004638.tif 000006
【図５】
2005004638.tif 000007
【図６】
2005004638.tif 000008
【図７】
2005004638.tif 000009
【図８】
2005004638.tif 000010
【図９】
2005004638.tif 000011
【図１０】
2005004638.tif 000012
【図１１】
2005004638.tif 000013
【図１２】
2005004638.tif 000014